(57)【要約】【課題】  電子ペーパーに対して機密性と利便性を両立できる画面消去処理を行えることである。【解決手段】  電源管理ブロック１３１６がペーパーディスプレイ３に電力を供給するバッテリ１３１９の電圧低下を検知する。そして、電源管理ブロック１３１６が電圧低下を検知した場合、中央処理コントローラ１３９が画像データの属性保持部の内容が機密情報であるかを判断する。そして、機密情報であると判断した場合、中央処理コントローラ１３９がペーパーディスプレイ３に表示されている残像を消去し、機密情報でないと判断した場合、ペーパーディスプレイ３に表示されている残像を保持させる構成を特徴とする。【選択図】  図１
2007121676.tif 000002
【特許請求の範囲】
【請求項１】
入力されるデータを電子ペーパーに表示する表示制御装置であって、
前記電子ペーパーに電力を供給するバッテリの電圧低下を検知する検知手段と、
前記検知手段により電圧低下を検知した場合、前記画像データの属性保持部の内容が機密情報であるかを判断する判断手段と、
前記判断手段が機密情報であると判断した場合、前記電子ペーパーに表示されている残像を消去し、前記判断手段が機密情報でないと判断した場合、前記電子ペーパーに表示されている残像を保持させる制御手段と、
を有することを特徴とする表示制御装置。
【請求項２】
入力されるデータを電子ペーパーに表示する表示制御装置であって、
前記電子ペーパーに電力を供給するバッテリの電圧低下を検知する検知手段と、
前記検知手段により電圧低下を検知した場合、前記画像データの属性保持部の内容が機密情報であるかを判断する判断手段と、
前記判断手段が機密情報であると判断した場合、前記電子ペーパーに表示されている残像を第１の消去処理で消去し、前記判断手段が機密情報でないと判断した場合、前記電子ペーパーに表示されている残像を第２の消去処理で消去する制御手段と、
を有することを特徴とする表示制御装置。
【請求項３】
前記第１の消去処理は、前記電子ペーパーの画素に異符号の電圧を複数回印加させて画素全面を消去する完全消去処理であることを特徴とする請求項２記載の表示制御装置。
【請求項４】
前記第２の消去処理は、前記電子ペーパーの画素に異符号の電圧を印加させて画素全面を消去する通常消去処理であることを特徴とする請求項２記載の表示制御装置。
【請求項５】
前記制御手段は、前記第２の消去処理による通常消去処理後、あらかじめ設定されたデータを表示させることを特徴とする請求項２乃至４のいずれかに記載の表示制御装置。
【請求項６】
入力されるデータを電子ペーパーに表示する表示制御装置における表示制御方法であって、
前記電子ペーパーに電力を供給するバッテリの電圧低下を検知する検知ステップと、
前記検知ステップにより電圧低下を検知した場合、前記画像データの属性保持部の内容が機密情報であるかを判断する判断ステップと、
前記判断ステップが機密情報であると判断した場合、前記電子ペーパーに表示されている残像を消去し、前記判断ステップが機密情報でないと判断した場合、前記電子ペーパーに表示されている残像を保持させる制御ステップと、
を有することを特徴とする表示制御方法。
【請求項７】
入力されるデータを電子ペーパーに表示する表示制御装置における表示制御方法であって、
前記電子ペーパーに電力を供給するバッテリの電圧低下を検知する検知ステップと、
前記検知ステップにより電圧低下を検知した場合、前記画像データの属性保持部の内容が機密情報であるかを判断する判断ステップと、
前記判断ステップが機密情報であると判断した場合、前記電子ペーパーに表示されている残像を第１の消去処理で消去し、前記判断ステップが機密情報でないと判断した場合、前記電子ペーパーに表示されている残像を第２の消去処理で消去する制御ステップと、
を有することを特徴とする表示制御方法。
【請求項８】
前記第１の消去処理は、前記電子ペーパーの画素に異符号の電圧を複数回印加させて画素全面を消去する完全消去処理であることを特徴とする請求項７記載の表示制御方法。
【請求項９】
前記第２の消去処理は、前記電子ペーパーの画素に異符号の電圧を印加させて画素全面を消去する通常消去処理であることを特徴とする請求項７記載の表示制御方法。
【請求項１０】
前記制御ステップは、前記第２の消去処理による通常消去処理後、あらかじめ設定されたデータを表示させることを特徴とする請求項７乃至９のいずれかに記載の表示制御方法。
【請求項１１】
請求項６〜１０のいずれかに記載の表示制御方法をコンピュータに実行させるためのプログラムを格納したことを特徴とするコンピュータが読み取り可能な記憶媒体。
【請求項１２】
請求項６〜１０のいずれかに記載の表示制御方法をコンピュータに実行させることを特徴とするプログラム。
【発明の詳細な説明】
【技術分野】
【０００１】
本発明は、ペーパーディスプレイ等の表示装置における好適な制御方法、記憶媒体、及びプログラムに関する。に関するものである。
【背景技術】
【０００２】
従来、表示装置、例えば電気泳動表示装置等を用いたペーパーディスプレイ(以後PD)は、電源を供給しなくとも表示されている画像を保持できるという特徴がある。
【０００３】
しかし、機密情報をペーパーディスプレイで表示中にペーパーディスプレイのバッテリ残量が無くなった場合、機密情報が表示されたままとなり、消去することもできず、機密保持上の問題が有る。
【０００４】
下記特許文献１では給電が停止した事を検知すると表示を消去する、または外部の制御ユニットが故障した時バッテリを抜くと表示が消去されるという対策が記載されている。
【０００５】
また、電源のオフ操作に応じて、ペーパーディスプレイの表示属性に応じて表示制御を行うことが下記特許文献２に記載されている。
【特許文献１】特開２００４−６９９６５号公報
【特許文献２】特開２００５−１７２８４３号公報
【発明の開示】
【発明が解決しようとする課題】
【０００６】
しかしながら、上記従来例のようにバッテリ電圧の低下を検知した時に無条件に画面を消去する場合がある。この場合は、機密性の無い画像でも消去してしまうのでバッテリ残量がなくなっても表示し続ける事ができるというペーパーディスプレイ本来のメリットを享受できないという課題があった。
【０００７】
本発明は、上記の課題を解決するためになされたもので、本発明の目的は、電子ペーパーに供給するバッテリの電圧が低下している場合に、表示しているデータの機密属性に応じて異なる態様で画面消去処理を施すことができる仕組みを提供することである。
【課題を解決するための手段】
【０００８】
上記目的を達成する本発明の表示制御装置は以下に示す構成を備える。
【０００９】
入力されるデータを電子ペーパーに表示する表示制御装置であって、前記電子ペーパーに電力を供給するバッテリの電圧低下を検知する検知手段を備える。また、前記検知手段により電圧低下を検知した場合、前記画像データの属性保持部の内容が機密情報であるかを判断する判断手段を備える。また、前記判断手段が機密情報であると判断した場合、前記電子ペーパーに表示されている残像を消去し、前記判断手段が機密情報でないと判断した場合、前記電子ペーパーに表示されている残像を保持させる制御手段とを有することを特徴とする。
【００１０】
また、入力されるデータを電子ペーパーに表示する表示制御装置であって、前記電子ペーパーに電力を供給するバッテリの電圧低下を検知する検知手段を備える。また、前記検知手段により電圧低下を検知した場合、前記画像データの属性保持部の内容が機密情報であるかを判断する判断手段を備える。
【００１１】
さらに、前記判断手段が機密情報であると判断した場合、前記電子ペーパーに表示されている残像を第１の消去処理で消去し、
前記判断手段が機密情報でないと判断した場合、前記電子ペーパーに表示されている残像を第２の消去処理で消去する制御手段とを有することを特徴とする。
【００１２】
上記目的を達成する本発明の表示制御方法は以下に示す構成を備える。
【００１３】
入力されるデータを電子ペーパーに表示する表示制御装置における表示制御方法であって、前記電子ペーパーに電力を供給するバッテリの電圧低下を検知する検知ステップを有する。また、前記検知ステップにより電圧低下を検知した場合、前記画像データの属性保持部の内容が機密情報であるかを判断する判断ステップを有する。また、前記判断ステップが機密情報であると判断した場合、前記電子ペーパーに表示されている残像を消去し、前記判断ステップが機密情報でないと判断した場合、前記電子ペーパーに表示されている残像を保持させる制御ステップとを有することを特徴とする。
【００１４】
また、入力されるデータを電子ペーパーに表示する表示制御装置における表示制御方法であって、前記電子ペーパーに電力を供給するバッテリの電圧低下を検知する検知ステップを有する。また、前記検知ステップにより電圧低下を検知した場合、前記画像データの属性保持部の内容が機密情報であるかを判断する判断ステップを有する。
【００１５】
さらに、前記判断ステップが機密情報であると判断した場合、前記電子ペーパーに表示されている残像を第１の消去処理で消去し、前記判断ステップが機密情報でないと判断した場合、前記電子ペーパーに表示されている残像を第２の消去処理で消去する制御ステップとを有することを特徴とする。
【発明の効果】
【００１６】
本発明によれば、電子ペーパーに供給するバッテリの電圧が低下している場合に、表示するデータの機密属性に応じて、表示画面の消去処理を切り替えることで、電子ペーパーに対して機密性と利便性を両立できる画面消去処理を行えるという効果を奏する。
【発明を実施するための最良の形態】
【００１７】
次に本発明を実施するための最良の形態について図面を参照して説明する。
【００１８】
＜システム構成の説明＞
〔第１実施形態〕
以下、図面を参照して本発明の実施の形態を説明する。
【００１９】
図１は、本発明の第１の実施形態を示す表示装置を適用する表示システムの一例を示すブロック図である。本例は、電気泳動表示装置等を用いたペーパーディスプレイ、およびペーパーディスプレイを用いた表示システム例に対応する。
【００２０】
また、本システム例は、ペーパーディスプレイモジュール１３１と、もう一つはペーパーディスプレイシステムモジュール１３２とから構成されている。
【００２１】
図１において、ペーパーディスプレイモジュール１３１は、ペーパーディスプレイ素子アレイ１３３、駆動バックプレーン１３４および駆動回路（Ｘ）１３５、駆動回路（Ｙ）１３６から構成される。なお、これに加えて駆動バックプレーン１３４および駆動回路（Ｘ）１３５、駆動回路（Ｙ）１３６に対して電源および信号を供給するパネルコントローラ(不図示)を備える場合もある。
【００２２】
パネルコントローラは、パネルインターフェースモジュール１３７がこれを兼ねる場合もある。また、温度補償制御のために、熱電対、サーミスタなどの温度検知素子(不図示)を備える場合もある。ペーパーディスプレイモジュール１３１にはディジタイザ１３８が含まれる場合がある。
【００２３】
ディジタイザは各種方式が利用でき、例えば電磁誘導方式、抵抗膜方式、ペンに撮像素子とデータ処理機能、データ転送機能を持たせた光学読み取り方式等がある。
【００２４】
ペーパーディスプレイシステムモジュール１３２は、パネル制御機能ブロックを備える。パネル制御機能ブロックは、中央処理コントローラ１３９を備える。一般的には、Micro Processor Unit：MPUもしくはMPUとApplication Specific Integrated Circuit :ASICを組み合わせた物が用いられる。また、パネル制御機能ブロックは、ペーパーディスプレイを制御するためのグラフィックコントローラ１３１０、パネル制御ブロック１３１１、入力データプロセッサ１３１２等を備える。
【００２５】
また、通信機能ブロックは、外部データとのやり取りをつかさどる外部メモリ１３１７を管理する外部メモリインターフェイス１３１３、有線Ｉ／Ｆ１３１４、および無線Ｉ／Ｆ１３１５の外部通信インターフェイス等を備える。
【００２６】
さらに、電源管理機能ブロック１３１６は、バッテリの電圧を検知したりバッテリ電圧低下を検知したりバッテリの電圧が低下した時に一定期間ペーパーディスプレイ３が動作するために必要な電圧を確保する給電手段（例えばキャパシタや予備電池）を提供する。また、電源管理機能ブロック１３１６は、バッテリの充放電を制御したりバッテリの電圧をペーパーディスプレイ３で使用する適切な電圧に変換したりする。
【００２７】
さらに、中央処理コントローラ１３９が動作するためのプログラムや中央処理コントローラ１３９が動作するためのワークエリアやペーパーディスプレイに表示する画像データや画像データの表示情報管理テーブルを記憶する内部メモリ１３１８等を備える。
【００２８】
ペーパーディスプレイシステムモジュール１３２上には、各種アプリケーションが動作するためのオペレーションシステム（OS）や、アプリケーションソフトが実装されている。これにより、各種適切な通信Ｐｒｏｔｏｃｏｌ、Ｉｍａｇｉｎｇ  Ｐｒｏｔｏｃｏｌ、入力Ｄａｔａ  Ｐｒｏｔｏｃｏｌを適切に処理することができる。
【００２９】
ここではペーパーディスプレイ共通部分についてのみ詳細を説明するに留める。
【００３０】
また、バッテリ１３１９はペーパーディスプレイ３を持ち運んで使用するときの電源として使用され、一般にリチウムイオン電池等の２次電池が使用される。バッテリ１３１９への充電は、バッテリを取り外した状態で充電器より充電するか、外部機器１より有線Ｉ／Ｆ１３１４を経由して電源管理ブロック１３１６より充電することも可能である。
【００３１】
なお、本例は機能を示した例であり、ハード構成としては様々なバリエーションが考えられる。
【００３２】
例えば、駆動回路（X）１３５や駆動回路（Y）１３６は駆動バックプレーン１３４上にモノリシックに形成する場合もある。ディジタイザ１３８についても同様である。
【００３３】
例えば、ペーパーディスプレイモジュール１３１とペーパーディスプレイシステムモジュール１３２間のデータ送受信は有線／無線のどちらでも良い。
【００３４】
無線の場合はペーパーディスプレイモジュール１３１に電源または発電機能、あるいは無線でのエネルギー授受機能を持つ。
【００３５】
また、ここではペーパーディスプレイモジュール１３１とペーパーディスプレイシステムモジュール１３２は１：１の関係で示しているがペーパーディスプレイモジュール１３１とペーパーディスプレイシステムモジュール１３２はｎ：１の関係でも良い。
【００３６】
本実施形態のペーパーディスプレイは、携帯情報端末（Personal Digital Assistance：PDA）の表示部に用いることができる。また、この他、TabletPCの表示部、電子ノート、電子教科書、ドキュメントビューワ、電子ブック、電子新聞等の表示部に用いることも出来る。
【００３７】
次に、ペーパーディスプレイ３内の描画シーケンスについて説明する。
【００３８】
外部機器１や外部機器２からペーパーディスプレイ３へ画像データが送信される。中央処理コントローラ１３９が有線Ｉ／Ｆ１３１４か無線Ｉ／Ｆ１３１５を介して画像データを取り込む。そして、内部メモリ１３１８か外部メモリ１３１７に格納する。ここで、内部メモリ１３１８は外部メモリ１３１７より小さい容量であるケースを想定する。
【００３９】
そして、内部メモリ１３１８に画像データが入りきらない場合は、一旦外部メモリ１３１７へ格納する。また、外部メモリ１３１７にはSDカード、コンパクトフラッシュ（登録商標）カード、等取り外し可能なメモリカードを用いる事も可能である。そして外部メモリ１３１７内に保存しておいた画像データを読み出して表示することも可能である。
【００４０】
中央処理コントローラ１３９は、内部メモリ１３１８か外部メモリ１３１７から画像データを読み出し、グラフィックコントローラ１３１０へ送る。グラフィックコントローラ１３１０は画像データ処理を行い、表示データを作成する。
【００４１】
グラフィックコントローラ１３１０はパネルインタフェース１３７を介してペーパーディスプレイモジュール１３１に表示データを送信する。
【００４２】
また、パネル制御ブロック１３１１から水平同期信号、垂直同期信号等のタイミング制御信号をペーパーディスプレイモジュール１３１に送信する。表示データ、タイミング制御信号に基づいて駆動回路（Ｘ）１３５からデータ信号、駆動回路（Ｙ）１３６からスキャン信号を出力して表示を行なう。
【００４３】
次に操作ボタンにて指示を行う時の動作を説明する。
【００４４】
ペーパーディスプレイ３の操作ボタン（図示せず）よりボタンの押下情報が入力データプロセッサ１３１２に入力され、中央処理コントローラ１３９により解釈され、特定のページを表示する指令が入力される。そして、指令を受けた中央処理コントローラ１３９は、内部メモリ１３１８か外部メモリ１３１７から指定のページの画像データを読み出し、グラフィックコントローラ１３１０へ送る。
【００４５】
グラフィックコントローラ１３１０は画像データ処理を行い、表示データを作成する。グラフィックコントローラ１３１０はパネルインタフェース１３７を介してペーパーディスプレイモジュール１３１に表示データを送信する。
【００４６】
また、パネル制御ブロック１３１１から水平同期信号、垂直同期信号等のタイミング制御信号をペーパーディスプレイモジュール１３１に送信する。表示データ、タイミング制御信号に基づいて駆動回路（Ｘ）１３５からデータ信号、駆動回路（Ｙ）１３６からスキャン信号を出力して表示を行う。
【００４７】
次に、ペーパーディスプレイにてペン入力を行う時の動作について説明する。
【００４８】
ディジタイザ１３８、及び入力データプロセッサ１３１２によりペンの位置データを作成する。中央処理コントローラ１３９はペンの位置データを画像データとして内部メモリ１３１８に格納する。同時にグラフィックコントローラ１３１０に送信してペンの位置を表示する事もできる。そして、周期的にペンの位置データを作成して動作を繰り返す。そのようにしてペーパーディスプレイの画面でどの位置が指示されたかを知ることができる。そして、操作ボタンにより指示が行われたのと同様に画面の表示を行う。
【００４９】
図２は、図１に示した内部メモリ１３１８か外部メモリ１３１７へ格納される表示データの構造を説明する図である。
【００５０】
図２において、２１は表示データが機密情報ｂｉｔで、「１」が設定されている場合には、その表示データが機密性が要求されているデータであることを示す。また、表示データが機密情報ｂｉｔ２１「０」の場合は、その表示データが機密性が要求されていないデータであることを示す。
【００５１】
なお、本実施形態では、中央処理コントローラ１３９は、後述する図５に示す制御手順に基づいて、バッテリ１３１９の電圧低下を検知する。この場合に、表示データが機密情報ｂｉｔ２１が「１」かどうかを判断する。そして、表示データが機密情報ｂｉｔ２１が「１」の場合には、ペーパーディスプレイ３で表示している表示データを消去する処理を行う。具体的には、駆動回路１３３，１３６に印加する電圧を＋１５Ｖと−１５Ｖとを交互に印加制御する。これにより、ペーパーディスプレイ３の特徴である残像を完全消去する。
【００５２】
また、表示データが機密情報ｂｉｔ２１が「０」の場合には、ペーパーディスプレイ３で表示している表示データを保持する処理を行う。具体的には、具体的には、駆動回路１３３，１３６に印加する電圧を「０」Ｖとする。
【００５３】
図３は、図１に示した内部メモリ１３１８か外部メモリ１３１７に確保される表示情報管理テーブルの一例を示す図である。
【００５４】
図４は、図１に示した内部メモリ１３１８内に保持される機密情報のデータ構造を説明する図である。
【００５５】
図４において、ＴＡＢは表示情報管理テーブルで、表示データの画像番号と、気密情報ｂｉｔを対として管理する。
【００５６】
図２に示すように、表示データの一部または先頭に含まれる機密情報bitを１に立てた状態で内部メモリ１３１８か外部メモリ１３１７へ格納される。もしくは図３に示すように表示情報管理テーブルを内部メモリ１３１８か外部メモリ１３１７に持たせて、表示する画像Ｎｏ．と機密情報bitを対応させ格納する。
【００５７】
また、外部メモリ１３１７をペーパーディスプレイ３に装着した場合、あらかじめ外部メモリに画像データを外部機器３（図示せず）から送信する時に機密情報である事を指示してから送信する。
【００５８】
そして、上記同様に図２や図３に示すようなデータ構造で該当画像データが機密情報であることが指示される。また操作者が画像データを表示している時に現在表示中の画像は機密情報である事を操作ボタンやペン入力により指示することもできる。その場合、図４に示すようなデータ構造で内部メモリ１３１８内の機密情報bitを１に立てたり、図２や図３に示すようなデータ構造で現在表示中の画像に対応する機密情報bitを１に立てたりする事ができる。
【００５９】
また、操作者がペーパーディスプレイ３の操作ボタンやペン入力により画像データのファイル名やアイコンや画像データの一覧より選択して機密情報である事を指示することもできる。またパスワード等の認証手段による認証後に管理者モードに入ることで機密情報bitを解除する事も可能である。
【００６０】
図５は、本発明に係る表示制御装置における第１の表示制御手順の一例を示すフローチャートである。
なお、Ｓ１０１〜Ｓ１０５は各ステップを示す。また、各ステップは、中央処理コントローラ１３９が内部メモリからプログラムをＲＡＭ等にロードして実行することで実現される。
【００６１】
まず、ペーパーディスプレイ３に充電されたバッテリ１３１９が装着され電源がオンした状態で画像データが外部機器１や外部機器２からペーパーディスプレイ３へ送信される。
【００６２】
その時操作者から指示された画像データに対しては機密情報bitを「１」に立てて機密情報の画像データとして扱う。
【００６３】
例えば外部機器１または外部機器２からペーパーディスプレイ３へ送信するときに機密情報である事を指示してから送信する。すると、図２に示すように表示データの一部または先頭に含まれる機密情報bitを「１」に立てた状態で内部メモリ１３１８か外部メモリ１３１７へ格納される。もしくは図３に示すように表示情報管理テーブルを内部メモリ１３１８か外部メモリ１３１７に持たせて、表示する画像Ｎｏ．と機密情報bitを対応させ格納する。
【００６４】
また、外部メモリ１３１７をペーパーディスプレイ３に装着した場合、あらかじめ外部メモリに画像データを外部機器３（図示せず）から送信する時に機密情報である事を指示してから送信する。
【００６５】
そして、上記同様に図２や図３に示すようなデータ構造で該当画像データが機密情報であることが指示される。
【００６６】
また、操作者が画像データを表示している時に現在表示中の画像は機密情報である事を操作ボタンやペン入力により指示することもできる。その場合、図４に示すようなデータ構造で内部メモリ１３１８内の機密情報bitを「１」に立てたり、図２や図３に示すようなデータ構造で現在表示中の画像に対応する機密情報bitを１に立てたりする事ができる。
【００６７】
また、操作者がペーパーディスプレイ３の操作ボタンやペン入力により画像データのファイル名やアイコンや画像データの一覧より選択して機密情報である事を指示することもできる。
【００６８】
また、パスワード等の認証手段による認証後に管理者モードに入ることで機密情報bitを解除する事も可能である。
【００６９】
ステップＳ１０１で、操作者がペーパーディスプレイ３を外部機器１から外して持ち運んだり、外部機器２の近接範囲外に持ち運び画像を表示させたりして通常の動作を行う。そして、ステップＳ１０２へ移行する。
【００７０】
そして、ステップＳ１０２で、電源管理ブロック１３１６は常時バッテリ１３１９の電圧を監視しておりバッテリ電圧がある規定値以下になると中央処理コントローラ１３９に対して割り込み信号が発生しているかどうかを判断する。
【００７１】
例えばバッテリにリチウムイオン電池を用いて充電完了時に３．７Ｖの電圧があったとして、電池残量が低下したと判断するある規定値（しきい値）を３．２Ｖとすると、バッテリ電圧が３．２Ｖ以下になると割り込み信号が発生する。
【００７２】
ここで、割り込み信号が発生していないと判断した場合は、ステップＳ１０１へ戻る。
【００７３】
一方、ステップＳ１０２で、それがバッテリ電圧低下によるものと判断されると、ステップＳ１０３へ移行する。
【００７４】
なお、ステップＳ１０２で、バッテリの電圧が低下した時に一定期間ペーパーディスプレイ３が動作するために必要な電圧を確保する給電手段（例えばキャパシタや予備電池）は電源管理ブロック１３１６より提供される。
【００７５】
そして、ステップＳ１０２で、バッテリ電圧低下と判断されると、中央処理コントローラ１３９は外部メモリ１３１７または内部メモリ１３１８内の現在表示中の画像と関連づけられた機密情報bitを参照する。
【００７６】
なお、画像データが機密情報かを表す属性保持部の構造は、図２、図３、図４に示す機密情報bitのようなデータ構造をとることができる。
【００７７】
そして、ステップＳ１０３で、現在表示中の画像の機密情報bitが「１」で立っているか否かを判断する。ここで、機密情報bitが「１」で立っていると判断した場合は、ステップＳ１０４へ移行する。
【００７８】
一方、ステップＳ１０３で、機密情報bitが「０」で立っていないと判断した場合は、ステップＳ１０５へ移行する。
【００７９】
そして、ステップＳ１０４で、現在表示中の画像は機密情報と判断されたのでペーパーディスプレイ３の画面を消去する制御を行い、本処理を終了する。
【００８０】
なお、ステップＳ１０４における画面消去制御は、中央処理コントローラ１３９がグラフィックコントローラ１３１０を介して画面の画素がすべて白となるように駆動回路１３５、１３６を制御することで消去する。
【００８１】
本実施形態におけるペーパーディスプレイ３は、表示駆動の特徴として現在表示している画像の階調に対して次に表示したい階調で印加する電圧値を変化させる。この際、駆動回路１３５、１３６は、現在表示している階調から白へ変化させるための電圧を各画素に対して印加する。
【００８２】
例えば画素を黒から白に変化させるなら−１５Ｖを印加する。また、画素を白から黒に変化させるなら＋１５Ｖを印加する。また、画素を変化させず保持するなら０Ｖを印加する。
【００８３】
ここで、ペーパーディスプレイ３の特徴として残像がＬＣＤより残りやすいため、残像が残らないよう消去する制御を行っても良い。
【００８４】
例えば全画素を白に書き換えた後、全画素がすべて黒となるよう消去する。このような上記書換制御を既定回数、例えば３回行った後画像を白に書き換える。
【００８５】
これに対して、全画素が白、黒どちらになるかを全くランダムに数回書き換えても良い。
【００８６】
このように画面を消去した後、中央処理コントローラ１３９はペーパーディスプレイ３の動作を停止させる状態に入る。このようにバッテリ残量が低下した時機密情報表示中であれば画面を消去する。
【００８７】
一方、ステップＳ１０３で、機密情報表示中でないと判断した場合は、ステップＳ１０５で、駆動回路１３５、１３６を介してペーパーディスプレイ３の画面を保持する制御を行い、本処理を終了する。
【００８８】
具体的には、中央処理コントローラ１３９がグラフィックコントローラ１３１０を介して画面の画素を保持するように駆動回路１３５、１３６の制御を行う。
【００８９】
そして、中央処理コントローラ１３９は、ペーパーディスプレイ３の動作を停止させる状態に入る。
【００９０】
なお、ペーパーディスプレイ３の特徴として電源が無くても表示画像を保持できるので、画像を電源が無い状態でも見ることができ利便性を高めることができる。
【００９１】
このように本実施形態では、中央コントローラ１３９が入力されるデータをペーパーディスプレイ３に表示する場合に、ペーパーディスプレイ３に電力を供給するバッテリ１３１９の電圧低下を電源管理ブロック１３１６が検知する。そして、電源管理ブロック１３１６が電圧低下を検知した場合、画像データの属性保持部の内容が機密情報であるかを内部メモリに記憶されている、図４に示すような機密情報ｂｉｔが「１」か否かを判断する。そして、電源管理ブロック１３１６がであると判断した場合、中央処理コントローラ１３９がペーパーディスプレイ３に表示されている残像を第１の消去処理で消去（図５に示すステップＳ１０４）する。また、機密情報ｂｉｔが「０」であると判断した場合、中央処理コントローラ１３９がペーパーディスプレイ３に表示されている残像を保持（図５に示すステップＳ１０５）する制御を行う。
【００９２】
第１実施形態によれば、バッテリ１３１９の残量が所定のしきい値レベルまで低下した時、ペーパーディスプレイ３が機密情報表示中であれば画面を消去し、そうでなければ画面を消去しない制御を実行する。これにより、表示画像を消去することで、機密性が必要な場合は機密性を高め、機密性が必要でない場合は、表示内容が保持されることで、ペーパーディスプレイ３の特徴を活かした表示をユーザに提供できる。したがって、ペーパーディスプレイの特性を有効に利用した表示要求にも応えることで、利便性を高める事ができる。
【００９３】
〔第２実施形態〕
本実施形態では、ペーパーディスプレイ３の残像特性を考慮して、機密情報の保持状態に応じて異なる画面消去制御を実行させることで、画面消去後、あらかじめ設定されている消去後に表示すべき画像データを表示させることを特徴とする。以下、その実施形態について詳述する。
【００９４】
図６は、本発明に係る表示制御装置における第２の表示制御手順の一例を示すフローチャートである。
【００９５】
なお、Ｓ２０１〜Ｓ２０６は各ステップを示す。また、各ステップは、中央処理コントローラ１３９が内部メモリからプログラムをＲＡＭ等にロードして実行することで実現される。
【００９６】
まず、ペーパーディスプレイ３に充電されたバッテリ１３１９が装着され電源がオンした状態で画像データが外部機器１や外部機器２からペーパーディスプレイ３へ送信される。その時、操作者から指示された画像データに対しては機密情報bitを１に立てて機密情報の画像データとして扱う。
【００９７】
例えば外部機器１または外部機器２からペーパーディスプレイ３へ送信するときに機密情報である事を指示してから送信する。すると、図２に示すように表示データの一部または先頭に含まれる機密情報bitを「１」に立てた状態で内部メモリ１３１８か外部メモリ１３１７へ格納される。もしくは図３に示すように表示情報管理テーブルを内部メモリ１３１８か外部メモリ１３１７に持たせて、表示する画像Ｎｏ．と機密情報bitを対応させ格納する。
【００９８】
また、外部メモリ１３１７をペーパーディスプレイ３に装着した場合、あらかじめ外部メモリに画像データを外部機器３（図示せず）から送信する時に機密情報である事を指示してから送信する。
【００９９】
そして、上記同様に図２や図３に示すようなデータ構造で該当画像データが機密情報であることが指示される。また操作者が画像データを表示している時に現在表示中の画像は機密情報である事を操作ボタンやペン入力により指示することもできる。その場合、図４に示すようなデータ構造で内部メモリ１３１８内の機密情報bitを１に立てたり、図２や図３に示すようなデータ構造で現在表示中の画像は機密情報である事を指示する。
【０１００】
また、操作者がペーパーディスプレイ３の操作ボタンやペン入力により画像データのファイル名やアイコンや画像データの一覧より選択して機密情報である事を指示することもできる。またパスワード等の認証手段による認証後に管理者モードに入ることで機密情報bitを解除する事も可能である。
【０１０１】
先ず、ステップＳ２０１で、操作者がペーパーディスプレイ３を外部機器１から外して持ち運んだり、外部機器２の近接範囲外に持ち運び画像を表示させたりして通常の動作を行う。そして、ステップＳ２０２へ移行する。
【０１０２】
そして、電源管理ブロック１３１６は、常時バッテリ１３１９の電圧を監視しておりバッテリ電圧がある規定値（しきい値）以下になると、中央処理コントローラ１３９に対して割り込み信号を発生させる。
【０１０３】
例えばバッテリにリチウムイオン電池を用いて充電完了時に３．７Ｖの電圧があったとして、電池残量が低下したと判断するある規定値を３．２Ｖとすると、バッテリ電圧が３．２Ｖ以下になると割り込み信号が発生する。
【０１０４】
ステップＳ２０２では、バッテリ電圧低下による割り込み信号が発生しているかどうかを判断する。そして、割込信号が発生していないと判断した場合は、ステップＳ２０１へ戻る。
【０１０５】
一方、ステップＳ２０２で、割込信号が発生していると判断した場合は、ステップＳ２０３へ移行する。
【０１０６】
なお、バッテリの電圧が低下した時に一定期間ペーパーディスプレイ３が動作するために必要な電圧を確保する給電手段（例えばキャパシタや予備電池）は電源管理ブロック１３１６より提供される。
【０１０７】
また、ステップＳ２０２で、バッテリ電圧低下と判断されると、中央処理コントローラ１３９は外部メモリ１３１７または内部メモリ１３１８内の現在表示中の画像と関連づけられた機密情報bitを参照する。
【０１０８】
なお、画像データが機密情報かを表す属性保持部の構造は、図２、図３、図４に示す機密情報bitのようなデータ構造をとることができる。
【０１０９】
そして、ステップＳ２０３で、現在表示中の画像の機密情報bitが「１」で立っているかどうかを判断する。
【０１１０】
ここで、現在表示中の画像の機密情報bitが「１」で立っていると判断した場合は、ステップＳ２０４で、現在表示中の画像は機密情報と判断されたのでペーパーディスプレイ３の画面に残像が残らないよう消去するように駆動回路１３５、１３６の制御を行う。ここで、ペーパーディスプレイ３の画面に残像が残らないよう消去することを第１の消去処理とする。
【０１１１】
ここでは、ペーパーディスプレイの特徴として残像が残りやすいためこのような制御を行う。
【０１１２】
具体的には、中央処理コントローラ１３９がグラフィックコントローラ１３１０を介して画面の画素がすべて白となるように、駆動回路１３５、１３６の制御を行うことで画面表示内容を消去する。
【０１１３】
また、ペーパーディスプレイ３の表示駆動の特徴として現在表示している画像の階調に対して、次に表示したい階調で印加する電圧値を変化させるので、現在表示している階調から白へ変化させるための電圧を各画素に対して印加する。
【０１１４】
例えば画素を黒から白に変化させるなら−１５Ｖを印加する。また画素を白から黒に変化させるなら＋１５Ｖを印加する。また、画素を変化させず保持するなら０Ｖを印加する。
【０１１５】
このようにして、ペーパーディスプレイ３の全画素が白画素に書き換わった後、次に中央処理コントローラ１３９がグラフィックコントローラ１３１０を介して画面の画素がすべて黒となるよう消去する制御を行う。
【０１１６】
なお、上記書換を既定回数、例えば３回行った後画像を白に書き換える。もしくは全画素が白、黒どちらになるかを全くランダムに書き換えても良い。
【０１１７】
本実施形態において、通常消去とは、ペーパーディスプレイ３の全画素を白への書換を１回だけ行う。この場合は、ペーパーディスプレイ３に残像が残る場合がある。
【０１１８】
このようにバッテリ残量が低下した時機密情報表示中であれば残像が残らないよう画面を消去する。
【０１１９】
一方、ステップＳ２０３で、現在表示中の画像の機密情報bitが「１」で立っていないと判断した場合は、ステップＳ２０５で、駆動回路１３５、１３６の制御を行うことでペーパーディスプレイ３の画面を通常に消去する制御を行う。ここで、ペーパーディスプレイ３の画面を通常消去することを第２の消去処理とする。
【０１２０】
具体的には、中央処理コントローラ１３９が駆動回路１３５、１３６を制御して、グラフィックコントローラ１３１０を介して画面の画素がすべて白となるよう消去して、ステップＳ２０６へ進む。
【０１２１】
次に、ステップＳ２０６で、設定に応じて画面を表示する制御を行い、本処理を終了する。
【０１２２】
なお、ステップＳ２０６では、ステップＳ２０３にて機密情報表示中と判断された場合は、ステップＳ２０４で残像が残らない制御にて画面を消去している。これにより、特に何も行わず中央処理コントローラ１３９はペーパーディスプレイ３の動作を停止させる状態に入る。
【０１２３】
一方、ステップＳ２０３にて機密情報表示中ではないと判断された場合は、ステップＳ２０５で、通常の制御にて画面を消去しているが、利便性を高めるため、設定に応じて画像（例えば初期画面や壁紙や時刻表など）を表示する。
【０１２４】
その後、中央処理コントローラ１３９はペーパーディスプレイ３の動作を停止させる状態に入る。
【０１２５】
このように本実施形態では、中央コントローラ１３９が入力されるデータをペーパーディスプレイ３に表示する場合に、ペーパーディスプレイ３に電力を供給するバッテリ１３１９の電圧低下を電源管理ブロック１３１６が検知する。そして、電源管理ブロック１３１６が電圧低下を検知した場合、画像データの属性保持部の内容が機密情報であるかを内部メモリに記憶されている、図４に示すような機密情報ｂｉｔが「１」か否かを判断する。そして、電源管理ブロック１３１６がであると判断した場合、中央処理コントローラ１３９がペーパーディスプレイ３に表示されている残像を第１の消去処理（図６に示すステップＳ２０４）で消去する。また、機密情報ｂｉｔが「０」であると判断した場合、中央処理コントローラ１３９がペーパーディスプレイ３に表示されている残像を第２の消去処理（図６に示すステップＳ２０５）で消去する制御を行う。
【０１２６】
なお、第１の消去処理は、前記電子ペーパーの画素に異符号の電圧を複数回印加させて画素全面を消去する完全消去処理する。さらに、第２の消去処理は、前記電子ペーパーの画素に異符号の電圧を印加させて画素全面を消去する通常消去処理する。
【０１２７】
さらに、中央処理コントローラ１３９は、第２の消去処理による通常消去処理後、あらかじめ設定されたデータ（例えば壁紙、時刻表）を表示させる制御（図６に示すステップＳ２０６）を行う。
【０１２８】
第２実施形態によれば、バッテリ１３１９の残量がしきい値レベルまで低下した時、機密情報表示中であれば残像が残らない制御にて画面を消去して機密性を高めることができる。
【０１２９】
一方、機密情報表示中でなければ、通常の制御にて画面を消去し、その後、設定に応じて画像（例えば初期画面や壁紙や時刻表など）を表示することで、ディスプレイに対する表示要求に応えることで、その利便性を高める事ができる。
【０１３０】
〔第３実施形態〕
なお、上記第１、第２実施形態では、表示画面全面を消去する場合について説明した。しかしながら、上記特許文献２に記載されているように、機密情報を画素単位に管理する。そして、バッテリ１３１９の電圧低下を検知した場合に、機密情報表示領域と、他の表示領域とで、消去態様を制御する構成としてもよい。
【０１３１】
〔第４実施形態〕
以下、図７に示すメモリマップを参照して本発明に係る情報処理装置で読み取り可能なデータ処理プログラムの構成について説明する。
【０１３２】
図７は、本発明に係る情報処理装置で読み取り可能な各種データ処理プログラムを格納する記憶媒体のメモリマップを説明する図である。
【０１３３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１３５】
本実施形態における図５，図６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１３６】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１３７】
この場合、記憶媒体から読み出されたプログラムコード自体が本発明の新規な機能を実現することになり、そのプログラムコードを記憶した記憶媒体は本発明を構成することになる。
【０１３８】
従って、プログラムの機能を有していれば、オブジェクトコード、インタプリタにより実行されるプログラム、ＯＳに供給するスクリプトデータ等、プログラムの形態を問わない。
【０１３９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４０】
この場合、記憶媒体から読出されたプログラムコード自体が前述した実施形態の機能を実現することになり、そのプログラムコードを記憶した記憶媒体は本発明を構成することになる。
【０１４１】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１４２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１４３】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１４４】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４５】
本発明は上記実施形態に限定されるものではなく、本発明の趣旨に基づき種々の変形（各実施形態の有機的な組合せを含む）が可能であり、それらを本発明の範囲から排除するものではない。
【０１４６】
本発明の様々な例と実施形態を示して説明したが、当業者であれば、本発明の趣旨と範囲は、本明細書内の特定の説明に限定されるのではない。
【図面の簡単な説明】
【０１４７】
【図１】本発明の第１の実施形態を示す表示装置を適用する表示システムの一例を示すブロック図である。
【図２】図１に示した内部メモリか外部メモリへ格納される表示データの構造を説明する図である。
【図３】図１に示した内部メモリか外部メモリに確保される表示情報管理テーブルの一例を示す図である。
【図４】図１に示した内部メモリ内に保持される機密情報のデータ構造を説明する図である。
【図５】本発明に係る表示制御装置における第１の表示制御手順の一例を示すフローチャートである。
【図６】本発明に係る表示制御装置における第２の表示制御手順の一例を示すフローチャートである。
【図７】本発明に係る表示制御装置で読み取り可能な各種データ処理プログラムを格納する記憶媒体のメモリマップを説明する図である。
【符号の説明】
【０１４８】
１  外部機器
２  外部機器
３  ペーパーディスプレイ
１３１  ペーパーディスプレイモジュール
１３２  ペーパーディスプレイシステムモジュール
１３３  ペーパーディスプレイ素子アレイ
１３４  駆動バックプレーン
１３５  駆動回路（Ｘ）
１３６  駆動回路（Ｙ）
１３９  中央処理コントローラ
１３１１  パネル制御ブロック
１３１７  外部メモリ
１３１８  内部メモリ
１３１９  バッテリ
【図１】
2007121676.tif 000003
【図２】
2007121676.tif 000004
【図３】
2007121676.tif 000005
【図４】
2007121676.tif 000006
【図５】
2007121676.tif 000007
【図６】
2007121676.tif 000008
【図７】
2007121676.tif 000009